(57)【特許請求の範囲】
【請求項１】
それぞれが集塵極と放電極を対向させたものであって上段電極と下段電極に分かれた電極で集塵する電気集塵装置の電極の取替え方法において、
電気集塵装置のケーシング側面下部に設けた開口部から一対の集塵極と放電極をセットにした上段電極をケーシング内に搬入し、
ケーシングの反対側側面に向かって集塵極と放電極をセットにした前記上段電極をケーシング底面上で移動させ、
次いで、前記開口部から搬入した一対の集塵極と放電極をセットにした下段電極と、前記移動済みの上段電極とを連結し、
集塵極の吊りビームに正規の設置幅より小さい間隔で吊り状態とし、
前記上段電極および下段電極を全て搬入完了後に正規の取り付け位置に各集塵極および各放電極を配置し直すことを特徴とする電気集塵装置の電極取替え方法。
【請求項２】
集塵極と放電極が対向して集塵を行う電気集塵装置の電極取替え方法において、
（１）前記集塵極と前記放電極を結び付けて一体とした電極セットを作成する工程、
（２）排ガス流入口から見て側面となるケーシングの面の下部に開口部を形成する工程、
（３）前記開口部の下端と接するように所定角度の傾斜を立てて架台を設け、前記架台に前記電極セットを立てかけ、前記電極セットの上端を前記開口部より集塵室内に取り込む工程、
（４）前記集塵室内に取り込まれた前記電極セットの上端にホイストを取り付ける工程、
（５）前記ホイストにより、前記電極セットを前記集塵室内に引き込む工程、
（６）前記集塵室内に引き込むこまれた電極セットを床面に設置されているローラコンベア上に横たえる工程、
（７）前記ローラコンベアにより、前記電極セットを移動させる工程、
（８）前記電極セットの上端にホイストを取り付ける工程、
（９）前記ホイストにより、前記電極セットを引き上げる工程、
（１０）前記ホイストのフックを取り外し、電極吊りビームにボルトにより電極セットの一端を吊り下げる工程、
（１１）前記電極セットの集塵極と放電極を分離し、正規の位置に集塵極と放電極を形成する工程、
（１２）前記形成された開口を塞ぐ工程とを有し、
前記（１）および前記（２）の工程の後に、前記（３）ないし前記（１０）の工程をこの順に所定回行い、その後に、前記（１１）、（１２）の工程を行うことを特徴とする電気集塵装置の電極取替え方法。
【請求項３】
集塵極と放電極が対向して集塵を行う電気集塵装置の電極取替え方法において、
（１）前記集塵極と前記放電極を結び付けて一体とした電極セットを作成する工程、
（２）排ガス流入口から見て側面となるケーシングの面の下部に開口部を形成する工程、
（３ｕ）前記開口部の下端と接するように所定角度の傾斜を立てて架台を設け、前記架台に上部電極セットを立てかけ、前記上部電極セットの上端を前記開口部より集塵室内に取り込む工程、
（４ｕ）前記集塵室内に取り込まれた前記上部電極セットの上端にホイストを取り付ける工程、
（５ｕ）前記ホイストにより、前記上部電極セットを前記集塵室内に引き込む工程、
（６ｕ）前記集塵室内に引き込むこまれた上部電極セットを床面に設置されているローラコンベア上に横たえる工程、
（７ｕ）前記ローラコンベアにより、前記上部電極セットを移動させる工程、
（３ｄ）前記架台に下部電極セットを立てかけ、前記下部電極セットの上端を前記開口部より集塵室内に取り込む工程、
（４ｄ）前記集塵室内に取り込まれた前記下部電極セットの上端にホイストを取り付ける工程、
（５ｄ）前記ホイストにより、前記下部電極セットを前記集塵室内に引き込む工程、
（６ｄ）前記集塵室内に引き込まれた下部電極セットの上端を、前記上部電極セットの下端の近傍に置くように、前記ローラコンベア上に横たえる工程、
（１３）前記上部電極セットの下端と前記下部電極セットの上端を結び付け一体として形成する工程、
（８ａ）前記一体として形成された電極セットの上端にホイストを取り付ける工程、
（９ａ）前記ホイストにより、前記一体として形成された電極セットを引き上げる工程、
（１０ａ）前記ホイストのフックを取り外し、電極吊りビームにボルトにより一体として形成された電極セットの一端を吊り下げる工程、
（１１）前記一体として形成された電極セットの集塵極と放電極を分離し、正規の位置に集塵極と放電極を形成する工程、
（１２）前記形成された開口を塞ぐ工程とを有し、
前記（１）および前記（２）の工程の後に、前記（３ｕ）乃至前記（７ｕ）の工程、（３ｄ）乃至前記（６ｄ）の工程、前記（１３）、前記（８ａ）乃至前記（１０ａ）の工程をこの順に所定回行い、その後に、前記（１１）、（１２）の工程を行うことを特徴とする電気集塵装置の電極取替え方法。
【請求項４】
前記（１０ａ）の工程の前記ボルトは、ＪボルトまたはＵボルトであり、
前記（１１）の工程の前に、前記一体として形成された電極セットの集塵室内の位置を配列しなおし、前記Ｊボルトを前記Ｕボルトに取り換える工程を、さらに有することを特徴とする請求項２または請求項３に記載の電気集塵装置の電極取替え方法。
【請求項５】
集塵極と放電極が対向して集塵を行う電気集塵装置の電極取替え方法において、
（Ｏ１）排ガス流入口から見て側面となるケーシングの面の下部に開口部を形成する工程、
（Ｏ２）前記放電極を取り外し、対向する前記集塵極と結び付けて一体とした電極セットを作成する工程、
（Ｏ３）前記電極セットを電極吊りビームに吊るすボルトを外す工程、
（Ｏ４）前記電極セットの上端にホイストを取り付ける工程、
（Ｏ５）前記ホイストにより、前記電極セットを引き下げる工程、
（Ｏ６）前記電極セットの上端に取り付けられたホイストのフックを取り外す工程、
（Ｏ７）前記電極セットを床面に設置されているローラコンベア上に横たえる工程、
（Ｏ８）前記ローラコンベアにより、前記電極セットを移動させる工程、
（Ｏ９）前記電極セットの上端にホイストを取り付ける工程、
（Ｏ１０）前記ホイストにより、前記電極セットを前記集塵室から引き出す工程、
（Ｏ１１）前記集塵室内から引き出された前記電極セットの上端からホイストのフックを取り外す工程、
（Ｏ１２）前記開口部の下端と接するように所定角度の傾斜を立てて架台を設け、前記架台に前記電極セットを立てかけ、前記電極セットを集塵室内から取り出す工程、
前記（Ｏ１）乃至前記（Ｏ３）の工程の後に、前記（Ｏ４）乃至前記（Ｏ１２）の工程を所定回行うことを特徴とする電気集塵装置の電極取替え方法。
【請求項６】
集塵極と放電極が対向して集塵を行う電気集塵装置の電極の取替え方法において、
（Ｏ１）排ガス流入口から見て側面となるケーシングの面の下部に開口を形成する工程、
（Ｏ２）前記放電極を取り外し、対向する前記集塵極と結び付けて一体とした電極セットを作成する工程、
（Ｏ３）前記電極セットを電極吊りビームに吊るすボルトを外す工程、
（Ｏ４）前記電極セットの上端にホイストを取り付ける工程、
（Ｏ５）前記ホイストにより、前記電極セットを引き下げる工程、
（Ｏ６）前記電極セットの上端に取り付けられたホイストのフックを取り外す工程、
（Ｏ７）前記電極セットを床面に設置されているローラコンベア上に横たえる工程、
（Ｏ８）前記ローラコンベアにより、前記電極セットを移動させる工程、
（Ｏ１３）前記電極セットを分離し、上部電極セットと下部電極セットとする工程、
（Ｏ１４ｄ）前記下部電極セットの上端にホイストを取り付ける工程、
（Ｏ１５ｄ）前記ホイストにより、前記下部電極セットを前記集塵室から引き出す工程、
（Ｏ１６ｄ）前記集塵室内から引き出された前記下部電極セットの上端からホイストのフックを取り外す工程、
（Ｏ１７ｄ）前記開口部の下端と接するように所定角度の傾斜を立てて架台を設け、前記架台に前記下部電極セットを立てかけ、前記下部電極セットを集塵室内から取り出す工程、
（Ｏ１４ｕ）前記集塵室内の前記上部電極セットの上端にホイストを取り付ける工程、
（Ｏ１５ｕ）前記ホイストにより、前記上部電極セットを前記集塵室から引き出す工程、
（Ｏ１６ｕ）前記集塵室内から引き出された前記上部電極セットの上端からホイストのフックを取り外す工程、
（Ｏ１７ｕ）前記開口部の下端と接するように所定角度の傾斜を立てて架台を設け、前記架台に前記上部電極セットを立てかけ、前記上部電極セットを集塵室内から取り出す工程、
前記（Ｏ１）乃至前記（Ｏ３）の工程の後に、前記（４）乃至前記（８）の工程、（Ｏ１３）の工程、前記（Ｏ１４ｄ）乃至前記（Ｏ１７ｄ）の工程、前記（Ｏ１４ｕ）ないし前記（Ｏ１７ｕ）の工程を所定回行うことを特徴とする電気集塵装置の電極取替え方法。
【請求項７】
前記（Ｏ４）の工程の前記ボルトは、Ｕボルトであり、
前記（Ｏ４）の工程の前に、前記Ｕボルトの一部をＪボルトに取り換え、前記電極セットの集塵室内の位置を配列しなおし、幅寄せする工程をさらに有することを特徴とする請求項５または請求項６に記載の電気集塵装置の電極取替え方法。
【発明の詳細な説明】
【技術分野】
【０００１】
本発明は、電気集塵装置の集塵極と放電極（以下、電極と略すことあり）の設置工法に係り、特に、電気集塵装置の更新時の電極の取り出しと搬入を行うときに、安全かつ能率的に作業を行うことのできる電気集塵装置の電極取替え方法に関する。
【背景技術】
【０００２】
電気集塵装置のケーシング内には、集塵極と放電極が対向して所定間隔で吊設され、大型の電気集塵装置の場合、電極の大きさは、横の長さが数ｍ、縦の長さが十数ｍにもなる。そして、電極が電気集塵装置の長時間運転で、例えば腐食等により劣化した場合は新しい電極に更新する必要がある。
【０００３】
従来の電気集塵装置用電極の設置工法としては、例えば、特許文献１に記載されているように、電気集塵装置のケーシングの天井開口部から、箱体に収納した複数の電極板をクレーンで吊りながら搬入させる工法が知られている。
【０００４】
また、更新工法としては、例えば特許文献２に示されるように、ケーシングの側面の上部開口より電極板を搬入する工法がある。
【先行技術文献】
【特許文献】
【０００５】
【特許文献１】特開２００１−１４５８４１号公報
【特許文献２】特開平７−９６２１４号公報
【発明の概要】
【発明が解決しようとする課題】
【０００６】
上記従来技術に係る電気集塵装置の電極板の設置・更新工法は、電気集塵装置のケーシングの天井や側面まで電極板を吊り上げてケーシング内に搬入する。大規模な電気集塵装置では、２０ｍ以上の高さにもなるため、クレーンでかなり高い所まで引っ張り上げなければならず、大型クレーン車が必要となりコストが高額になる他、吊り上げのための作業時間がかかり、また、風の影響を大きく受けて安全性に劣るという問題点があった。
【０００７】
また、電気集塵装置のケーシングの天井や側面に開口をあけたり、電極板を誘導するためのガイドロープを設けるための作業用の足場も大型なものになるという問題点があった。
【０００８】
また、電気集塵装置のケーシングには、補強のため中央にはすかいのブレスが設けられることがある。特許文献２に示されるケーシングの側面の上部開口より電極板を搬入する工法では、一旦、ブレスをはずして電極板を搬入し、搬入後にブレスを元に戻していた。そのため、作業が煩雑となり作業時間も多く掛かるという問題点があった。
【０００９】
本発明は上記問題点を解決するためになされたもので、その目的は電気集塵装置の電極を更新時に取り換えるにあたって、作業時に風の影響を受けにくく安全に作業が行え、しかも、作業を能率的に行うことができ、工期の短縮が可能な電気集塵装置の電極の取替え方法を提供することにある。
【課題を解決するための手段】
【００１０】
本発明の電気集塵装置の電極の取替え方法は、集塵極と放電極が対向して集塵を行う電気集塵装置に関するものであって、一対の集塵極と放電極を番線等により結び付けて一体とした電極セットを作成し、排ガス流入口の面から見て側面となるケーシングの面の下部に開口を形成して、そこからその電極セットを取り込むものである。
【００１１】
開口部から取り込むときには、架台に電極セットを立てかけ、上端を開口部から集塵室内に取り込み、電極セットの上部にホイストのフックを取り付けて、集塵室内にホイストにより引き込む。その後、一旦、電極セットからホイストを外して電極セットをローラコンベア上に横たえ、ローラコンベアにより所定の位置に移動させる。電極が上部電極と下部電極に分かれたタイプの電極の場合には、上部になる上部電極と、それとセットになる下部電極の両方を取り込み、両者を連結した後、上部電極の上端に再びホイストを取り付けて引き上げる。引き上げが終わるとケーシング内の作業スペースを確保するため、Ｊボルト、または、Ｕボルトによりケーシングに設けられた電極吊りビームに幅寄せ状態で吊り下げる。所定枚数、集塵室内に取り込むと、それまでの幅寄せを解消して正規の位置に配置しなおし、Ｊボルトを全てＵボルトに取り換える。そして、番線をほどき電極を集塵極と放電極に分離した後、集塵極、放電極とも各上下の段を正規の接続部品にて接続して電極を形成する。
【００１２】
以上が電極搬入の作業手順であるが、電極搬出のときは、ほぼ逆の作業手順で行えば良い。
【発明の効果】
【００１３】
本発明によれば、電気集塵装置の電極を更新時に取り換えるにあたって、風の影響を受けにくく安全に作業が行え、しかも、作業を能率的に行うことができ、工期の短縮が可能となる。
【図面の簡単な説明】
【００１４】
【図１】本発明の一実施形態に係る電気集塵装置の斜視図である。
【図２】図１の電気集塵装置の一部を透視し、側面に開口部を設けて、電極セットを取り込むときの様子を示す斜視図である。
【図３】電極セットを取り込んでローラコンベア上を移動させているときの様子を示す斜視図である。
【図４】放電極と集塵極を抱き合わせた電極セットを示す斜視図である。
【図５】上の電極セットと下の電極セットを繋いだときの様子を示す断面図である。
【図６】ブレスの下部空間に電極セットを通過させているときの様子を示す正面図である。
【図７Ａ】Ｊボルトにより電極セットを幅寄せしているときの様子を示す断面図である。
【図７Ｂ】Ｕボルトにより電極セットを正規の位置に取り付けたときの様子を示す断面図である。
【図８Ａ】電極の設置工法を示す模式図である（その一）。
【図８Ｂ】電極の設置工法を示す模式図である（その二）。
【図８Ｃ】電極の設置工法を示す模式図である（その三）。
【発明を実施するための形態】
【００１５】
以下、本発明に係る一実施形態を、図１乃至図８Ｃを用いて説明する。
【００１６】
先ず、図１乃至図７Ｂを用いて本発明の一実施形態に係る電気集塵装置の構造に付いて説明する。
図１は、本発明の一実施形態に係る電気集塵装置の斜視図である。
排ガス流入口５０から流入する排ガスの流れ方向に平行に、集塵極１５、および放電極１１が対向するように設置されている。
図２は、図１の電気集塵装置の一部を透視し、側面に開口部を設けて電極セットを取り込むときの様子を示す斜視図である。
【００１７】
電極セット１４がクレーン（図示せず）により、開口部１６に斜めに設けられた電極セット引き込み架台２０に立掛けられている状態を示したものである。ケーシング内部には電極セット１４の水平移動に用いるローラーコンベア３６が配置される。
【００１８】
図３は、電極セットを取り込んでローラコンベア上を移動させているときの様子を示す斜視図である。ブレス６５の下部空間を通過している状態を示したものである。
図４は、放電極１１と集塵極１５を抱き合わせた電極セットの様子を示す斜視図である。
【００１９】
番線１７で放電極１１と集塵極１５を縛ってセットにする。電極セット１４は吊り下げ部材４１を集塵極１５の上部のビーム１５ａと接続して吊り上げることができる。
【００２０】
図５は、上部の電極セット１４ｕと下部の電極セット１４ｄをシャックル４５とボルト４６を用いて繋いだときの様子を示す断面図である。
【００２１】
なお、シャックル４５とボルト４６は電極セット１４の吊り上げ作業が終わると正規の接続部品に交換される。
【００２２】
図６は、ブレス６５の下部空間に電極セット１４を通過させているときの様子を示す正面図である。
図７Ａは、Ｊボルト７２により電極セット１４を幅寄せしているときの様子を示す断面図である。
図７Ｂは、全てのJボルト７２をＵボルト７４に交換し、電極セット１４を集塵極１５の正規の位置に取り付けたときの様子を示す断面図である。
放電極１１は、後に番線１７を外して集塵極１５から分離し、放電極１１の正規の位置に取り付けられる。
【００２３】
本実施形態の電極の取替え方法を行う電気集塵装置１０は、図１に示されるように、集塵極１５と放電極１１が組み合わさってなる固定電極式の装置であり、例えば、火力発電所の石炭を燃焼させたときの排ガスを清浄にするために用いられる。
【００２４】
放電極１１には高電圧が印加され、集塵極１５との間に電界を形成し、放電極１１周囲の排ガスを電離してイオンを供給するようになっており、排ガス流入口５０から、塵埃粒子(ダスト・ミスト)を含む排ガスを取り込み、排ガス中に含まれる塵埃粒子をイオンで帯電させ、クーロン力で集塵極１５に捕集する。
【００２５】
先ず、本実施形態の電極の設置を行うために、図４に示されるように、電気集塵装置１０の外部で、放電極１１をビーム１５ａに番線１７で吊り下げて、集塵極１５と放電極１１が一体となった電極セット１４を作成する。放電極１１は、放電極枠１１ａ及び横フレーム１１ｂに放電線１１ｃを通した構造である。
【００２６】
そして、図２に示すように電気集塵装置１０のケーシング１２の排ガス流入口５０から見て側面にあたる面の下部に高さ３ｍほどの開口部１６をあける。本実施形態の電気集塵装置１０は、集塵極１５と放電極１１を上下２段設置する構造である。なお、本実施形態では、前記開口部１６の中央に強度を補強するための開口補強材２１を設けている。
【００２７】
電気集塵装置１０を更新するためには、古くなった集塵極１５と放電極１１を取り出して、電極セット１４を搬入して、集塵極１５と放電極1１を新しいものにする必要がある。本実施形態では、電極セット１４を搬入して、集塵極１５と放電極1１を新しいものにする作業手順について説明するが、古くなった集塵極１５と放電極1１を取り出すときには、この作業手順を逆にすれば良い。
【００２８】
搬入のときには、番線１７で集塵極１５に放電極１１を抱き合わせた電極セット１４をクレーン（図示せず）のワイヤ２２の先端のフック２３により、集塵極１５のビーム１５ａの穴１５ｂに通したワイヤ２４により引っ張って、開口部１６の下に立てかけられた電極セット引込み架台２０の上に持っていく。電極セット引込み架台２０は、開口部１６の下端と接するように所定角度の傾斜で立てかけられている。
【００２９】
そして、電極セット１４の先端が開口部１６を通して、電気集塵装置１０の集塵室に入った状態で、図４に示されるように、ボルト４２を集塵極１５のビーム１５ａのボルト穴１５ｂに通して、集塵極１５と吊り下げ部材４１を固定する。
【００３０】
天井部には予め、エレクションビーム３１とワイヤ式のホイスト３０が設置されており、ホイスト３０はエレクションビーム３１の方向に移動可能になっている。
【００３１】
電極セット１４と吊り下げ部材４１を固定した後に、ホイスト３０のフック３２を通すことにより、ホイスト３０により上下、左右に移動させることができるようになる。
【００３２】
また、床面の敷板３５の上には、ローラコンベア３６が設置されており、この上を電極セット１４を転がして移動できるようになっている。
【００３３】
図３は、このようにして電極セット１４を取り込んだときの様子を示している。本実施形態の電気集塵装置１０は、上下の電極２段を組み合わせて用いるので、ローラコンベア３６上に寝かしている状態で、上の電極セット１４ｕと下の電極セット１４ｄを繋いで組み合わせる。これは、図５に示されるように、上の電極セット１４ｕにシャックル４５を通し、下の電極セット１４ｄに通されたボルト４６をシャックル４５により、引っ張ることによりなされる。
【００３４】
電気集塵装置１０の集塵室は、中央のはすかいに設けられたブレス６５を左右にして、排ガス流入口５０の方向から見て、左側になる集塵室６０ｓと右側になる集塵室６０ｒからなる。
【００３５】
集塵室６０ｓが、開口部１６から見ると奥側になり、集塵室６０ｒが、開口部１６から見ると手前側である。開口部１６から奥側の集塵室６０ｓに電極セット１４を運び入れるときには、ブレスの間を通す必要がある。図６がこのときの様子を示す図である。電極セット１４は、Ｘ字型のブレス６５の下部空間を通り、ローラコンベア３６により集塵室６０ｒから集塵室６０ｓに運びこまれる。よって、このときにブレス６５を取り外したりする必要はない。
【００３６】
そして、集塵室６０ｓに運びこまれ、上下が組み合わされている電極セット１４は、ホイスト３０により上側に引っ張り上げられ、吊り下げ部材４１は取外されて、図７Ａに示されるように、天井部に通した電極吊りビーム７０にぶら下がるフック形の形状のＪボルト７２と、Ｕ字型形状のＵボルト７４により、集塵極１５のビーム１５ａのボルト穴１５ｂに通して吊り下げられる。Ｊボルト７２は、先端が向かい合うようにして吊り下げられる。ここで、図７Ａに示されるように、端の電極セット１４のみが正規の位置に設置されるため、Ｕボルト７４が用いられている。
【００３７】
図７Ａに示されているのは、設置のための仮の状態であり、Ｊボルト７２が用いられているのは、集塵室６０ｓの中での作業スペース確保のために幅寄せするためのものである。全ての電極セット１４が運び終えられると、図７Ｂに示されるように、全てのＪボルト７２は本設のＵボルト７４に代えられて、集塵極１５と放電極１１が等間隔に設置されように並べ直される。なお、放電極１１は、図には示さなかったが、放電極枠１１ａに設けられるサポートを放電極フレームにより支え、全体を碍子で支持することによりケーシングと電気的に絶縁して吊下げ状態で設置される。
【００３８】
次に、図８Ａ乃至図８Ｃを用いて本実施形態に係る電気集塵装置の電極の設置工法の工程について説明する。
図８Ａ乃至図８Ｃは、電極セットの設置工法を示す模式図である。
【００３９】
先ず、上部にあたる上部電極セット１４ｕを電極セット引込み架台２０の上に載せて開口部１６より、集塵室６０ｒに上端を取り込む（図８Ａ（ａ））。そして、上部電極セット１４ｕに吊り下げ部材４１を取り付け、ホイスト３０のフック３２を引っ掛け、ホイスト３０により引き込んで（図８Ａ（ｂ））、完全に取り込む（図８Ａ（ｃ））。その後、吊り下げ部材４１を外し、上部電極セット１４ｕを寝かせて（図８Ａ（ｄ））、ローラコンベア３６により、上部電極セット１４ｕを移動させる（図８Ａ（ｅ））。同様にして、下部電極セット１４ｄを取り込んで、上部電極セット１４ｕの近くまで移動させる（図８Ａ（ｆ）〜（ｉ））。そして、図５に示されるように、上部電極セット１４ｕと下部電極セット１４ｄを繋いで組み合わせる（図８Ａ（ｊ））。そして、組になった電極セット１４ｕ，１４ｄを、ローラコンベア３６により、移動させて（図８Ａ（ｋ））、ブレス６５の下部空間を通して、集塵室６０ｒから集塵室６０ｓに取り込み、再び、上部電極セット１４ｕに吊り下げ部材４１を取り付け、ホイスト３０のフック３２を引っ掛け、ホイスト３０により引き上げる（図８Ａ（ｌ）（ｍ））。そして、ホイスト３０により、集塵室６０ｓの端に移動させる（図８Ａ（ｎ））。その後、吊り下げ部材４１を外し、Ｊボルト７２により、電極吊りビーム７０に吊り下げる（図８Ａ（ｏ））。そして、次の上部電極セット１４ｕ、下部電極セット１４ｄの取り込みを始める（図８Ｂ（ｐ））。
【００４０】
所定枚数取り込むと、図８Ｃ（ｑ）に示された状態になるので、最後に、幅寄せしていた電極セット１４のつり具のＪボルトを全てＵボルトに変えて、番線１７を取外して集塵室６０ｓ中で等間隔になるように電極セット１４を配置し（図８Ｃ（ｒ））、さらに集塵極１５と放電極１１それぞれの上下段を接続しているシャックルを正規の接続部品に交換して電極を形成する。
【００４１】
集塵室６０ｒの電極の設置工法についても、移動する距離が違うこと、ブレス６５の間を通らないことが違うほかは全く同様である。
【００４２】
最後に、ケーシング１２の側面に形成された開口部１６は塞いで元に戻す。
【００４３】
以上では、電極を搬入する処理について説明したが、電極を取り出すときには、図８Ｃ（ｒ）の方から図８Ａ（ａ）の方に逆に行うようにすれば良い。このとき、電極セット１４をブレス６５を通って、集塵室６０ｓから集塵室６０ｒの開口部１６の近くまで、電極セット１４をローラコンベアにより持っていく。そして、結合を解いて、電極セット１４を上部電極セット１４ｕと下部電極セット１４ｕに分離した後に、先ず下部電極セット１４ｄをホイスト３０により集塵室から引き出し、その後上部電極セット１４ｕをホイスト３０により集塵室から引き出すようにすれば良い。
【００４４】
また、本実施形態で説明した電気集塵装置の電極の取替え方法は、電極の経年劣化などに伴う更新時の設置を主眼としたものであるが、新設の電気集塵装置のときにも適用することができる。
【符号の説明】
【００４５】
１０…電気集塵装置、１１…放電極、１１ａ…放電極枠、１１ｂ…横フレーム、１１ｃ…放電線、１２…ケーシング、１４，１４ｕ，１４ｄ…電極セット、１５…集塵極、１５ａ…ビーム、１５ｂ…ボルト穴、１６…開口部、１７…番線、２０…電極セット引込み架台、２２…ワイヤ、２３…フック、２４…ワイヤ、３０…ホイスト、３１…エレクションビーム、３５…敷板、３６…ローラコンベア、４２…ボルト、４１…吊り下げ部材、４５…シャックル、４６…ボルト、５０…排ガス流入口、６０ｓ，６０ｒ…集塵室、６５…ブレス、７０…電極吊りビーム、７２…Ｊボルト、７４…Ｕボルト。
【図１】
0005412358.tif 000002
【図２】
0005412358.tif 000003
【図３】
0005412358.tif 000004
【図４】
0005412358.tif 000005
【図５】
0005412358.tif 000006
【図６】
0005412358.tif 000007
【図７Ａ】
0005412358.tif 000008
【図７Ｂ】
0005412358.tif 000009
【図８Ａ】
0005412358.tif 000010
【図８Ｂ】
0005412358.tif 000011
【図８Ｃ】
0005412358.tif 000012